(57)【特許請求の範囲】
【請求項１】
パソコンと電気的に接続され、当該パソコンから供給された電子データを画像
情報としてプリントすることが可能なプリンタ装置において、
上記パソコンとの電子データの授受を行なう通信手段と、
上記パソコンから受信した電子データを記憶する記憶手段と、
少なくともプリントに関する情報を表示することが可能な表示手段と、
当該プリンタ装置の動作に関する各種の命令を指示する指示手段と、
上記通信手段による通信の開始からプリント動作の終了までの間、当該プリント動作中であることを上記表示手段に表示させるとともに、上記指示手段からの命令及び上記パソコンからの指示命令を受け付けないように制御する制御手段と、
を具備したことを特徴とするプリンタ装置。
【請求項２】
上記表示手段は、７セグメント表示法を用いてプリント動作中であることを表示することを特徴とする請求項１記載のプリンタ装置。
【請求項３】
上記表示手段は少なくともプリント動作中であることを示すプリント動作中表示とバッテリィ残量を示すバッテリィ残量表示とが表示可能に構成され、上記制御手段はプリント動作中である際にこれらプリント動作中表示及びバッテリィ残量表示のみを表示させることを特徴とする請求項１記載のプリンタ装置。
【発明の詳細な説明】
【０００１】
【発明の属する技術分野】
本発明は、画像などのデータの印刷を行なうプリンタ装置に係り、特にパーソナルコンピュータ（以下、パソコンという）とのデータ通信中及びパソコンからのデータを印刷中に不用意に印刷動作を終了させてしまうことのないようにしたプリンタ装置に関するものである。
【０００２】
【従来の技術】
従来、各種のデータや画像データをプリントアウトするプリンタ装置には種々のものが提案されている。例えば、カラービデオプリンタでは、画像データなどの印刷対象データをプリントアウトする時には、プリント中はプリンタ装置に接続したモニタ手段やプリンタ装置に配設されたＬEＤ等の表示素子を用いて印刷中であることを表示したり、或いは、印刷中の表示はないがプリント中は他の割り込み指示を受け付けないようにしたものがある。
【０００３】
例えば、特開平１０−２３０６６６号公報には、印刷対象の画像が画像表示装置に表示されるプリンタにおいて、「印刷中を意味する表示」を上記画像表示装置に表示させて印刷中であることを示すプリンタが記載されている。
【０００４】
また、特開平１０−２７１４２５号公報には、印刷対象のデータがパーソナルコンピュータから取り出され、プリントされて画像表示手段に表示されるパーソナルコンピュータであって、印刷処理状態である場合に、印刷中を意味する表示を上記画像表示手段に表示するパーソナルコンピュータが記載されている。
【０００５】
また、特開平１１−１２５９９６号公報には、原稿台上に載置されるシート材の画像を読み取ってその画像データを記憶手段に記憶し、出力順序を設定して記録媒体に画像を出力する画像形成装置において、出力中のジョブの終了状態を判定して、登録された次の順序のジョブに基づく画像出力の開始を制御する制御手段に対し、出力を開始されたジョブに対しては、ジョブの出力順序の変更を禁止するようにした画像形成装置が記載されている。
【０００６】
さらに、特開平１１−２０５５２５号公報には、プリンタ機能によって印刷すべきプリンタデータを蓄積するプリンタデータ蓄積領域と、ファクシミリ機能によって印刷すべきファクシミリデータを蓄積するファクシミリデータ蓄積領域とをそれぞれ備えているファクシミリ通信機能付きプリンタにおいて、ファクシミリデータ蓄積領域に蓄積されたファクシミリデータの印刷が開始されたら全ての印刷が終了するまでは前記プリンタ機能による印刷要求の割込を禁止し、ファクシミリデータ要求の割込が禁止されていない場合は前記プリンタデータの印刷を開始すると共に当該プリンタデータの印刷が終了するまでは前記ファクシミリデータの印刷を禁止するファクシミリ通信機能付きプリンタが記載されている。
【０００７】
【発明が解決しようとする課題】
しかしながら、特開平１０−２３０６６６号公報及び特開平１０−２７１４２５号公報は、印刷処理状態である場合に、印刷中を意味する表示を上記画像表示手段に表示するが、プリンタとパーソナルコンピュータとが通信中である際には表示がされないので、それを知らずに他の機能命令を指示してしまい、通信が途中で途切れてしまう恐れがあった。
【０００８】
また、特開平１１−１２５９９６号公報及び特開平１１−２０５５２５号公報は、印刷中に他の命令による割り込みはできないが、印刷中を意味する表示がないため印刷と印刷との間に印刷が終了したと勘違いして印刷終了ボタン等を操作し、印刷そのもののシーケンスを終了させてしまう恐れがあった。
【０００９】
そこで、本発明は上記の問題に鑑み、プリンタとパソコンとが通信中である際には、他の指示命令によって該通信が途中で途切れてしまうことがなく、また印刷中に、誤って印刷そのもののシーケンスを終了させてしまうことのないようにしたプリンタ装置を提供することを目的とするものである。
【００１０】
【課題を解決するための手段】
請求項１の発明は、パソコンと電気的に接続され、当該パソコンから供給された電子データを画像情報としてプリントすることが可能なプリンタ装置において、上記パソコンとの電子データの授受を行なう通信手段と、上記パソコンから受信した電子データを記憶する記憶手段と、少なくともプリントに関する情報を表示することが可能な表示手段と、当該プリンタ装置の動作に関する各種の命令を指示する指示手段と、上記通信手段による通信の開始からプリント動作の終了までの間、当該プリント動作中であることを上記表示手段に表示させるとともに、上記指示手段からの命令及び上記パソコンからの指示命令を受け付けないように制御する制御手段と、を具備したものである。
【００１１】
請求項１の発明では、プリンタ装置がパソコン側から制御されている状態（即ちプリンタ装置とパソコンとがデータ通信中）であったり、パソコンから読み込んだデータをプリント中の状態では、プリント動作中であることを表示すると共に、その表示期間中はプリンタ装置側の操作命令及びパソコン側からの指示命令を受け付けないようにしたものである。
【００１２】
請求項２の発明は、請求項１記載のプリンタ装置において、上記表示手段は、７セグメント表示法を用いてプリント動作中であることを表示することを特徴とする。
【００１３】
請求項２の発明では、７セグメント表示法を用いて例えば“ＰＣ”と表示し、プリント動作中であることを表示する。
【００１４】
請求項３の発明は、請求項１記載のプリンタ装置において、上記表示手段は少なくともプリント動作中であることを示すプリント動作中表示とバッテリィ残量を示すバッテリィ残量表示とが表示可能に構成され、上記制御手段はプリント動作中である際にこれらプリント動作中表示及びバッテリィ残量表示のみを表示させることを特徴とする。
【００１５】
請求項３の発明では、プリントに関する情報を表示する表示手段には、プリント動作中（パソコンとの制御信号の授受を含む）である際に、プリント動作中表示と共にバッテリィ残量表示を行なうようにしたものである。
【００１６】
【発明の実施の形態】
発明の実施の形態について図面を参照して説明する。
図１乃至図３にて本発明の実施の形態の要部を説明する前に、図４及び図５を参照して本発明が適用されるプリンタ装置について説明する。
【００１７】
図４は、プリンタ装置の外観を示している。
図４において、プリンタ装置は、プリンタ装置本体１０と、インクリボンカセット２０と、給紙カセット３０と、バッテリィ４０とを有して構成され、インクリボンカセット２０，給紙カセット３０，及びバッテリィ４０は、プリンタ装置本体１０に対して着脱可能となっている。さらに、プリンタ装置本体１０には、パソコン用のコネクタ５１、デジタルカメラ等で撮影した画像などの情報を記憶したスマートメディア（商標、以下ＳＭと記す）やコンパクトフラッシュ（商標、以下ＣＦと記す）等の記録メディアである複数のメモリカード５２、及び商用交流（ＡＣ）電源に接続して直流（ＤＣ）電圧を得るためのＡＣアダプタ５３が差し込み可能となっている。
【００１８】
インクリボンカセット２０は、インクリボン露呈用窓部が形成されたカセットケース（外装ケース）２１内に、インクリボン２２が供給リール及び巻取りリール間に巻回された状態で移送可能に収容されている。
【００１９】
インクリボンカセット２０は、プリンタ装置本体１０の一側面に設けたカセット側面形状にほぼ嵌合可能な開孔部１２より本体１０内に挿着されるようになっている。
【００２０】
プリンタ装置本体１０には、その外装を形成する本体ケース１１内のシャーシ内部に、図示しないサーマルヘッド機構、記録紙の搬送機構、及びそれらを駆動する機構などが組み込まれている。
【００２１】
プリンタ装置本体１０の本体ケース１１の一側面には、略長方形状に切り欠いた開口部１１ａが設けられ、その開口部１１ａの内側に配設されている前記内側シャーシには、インクリボンカセット２０の挿入側の側面形状に略勘合する形状で上記開孔部１２が形成されている。そして、本体ケース１１には、前記開口部１１ａ（及び前記開孔部１２）を閉塞するための蓋１３がヒンジ１３ａを用いて開閉可能に取り付けられている。
【００２２】
プリンタ装置本体１０の前端部（図示手前側）には、給紙カセット３０を挿着するための開口部１４が形成されており、該開口部１４には給紙カセット３０がワンタッチで装着されるようになっている。
【００２３】
また、プリンタ装置本体１０の後端部１５には、バッテリィ装着部（図示せず）が設けられており、携帯用プリンタ電源としてのバッテリィ４０がワンタッチで装着できるようになっている。
【００２４】
本体ケース１１の上面には、少なくともプリントに関する情報を表示することが可能な表示手段としての液晶表示器１６と、プリントに関する各種の命令を指示する指示手段としての操作ボタン１７ａ〜１７ｉと、プリント動作の進行に係わる点灯表示を行なうＬＥＤ（発光ダイオード）などで構成される表示ランプ１８ａ〜１８ｄが配設されている。
【００２５】
操作ボタン１７ａ〜１７ｉには、電源投入及び電源オフを指示する電源ボタン１７ａ、印刷動作を指示するプリントボタン１７ｂ、印刷モード（標準プリント，インデックスプリント，全コマプリント，ＤＰＯＦ）を選択する印刷モードボタン１７ｃ、シャープネス（標準，ソフト，シャープ）を選択するシャープネスボタン１７ｄ、分割印刷の分割数（分割無し、２，４，９，１６画面）を選択する分割ボタン１７ｅ、日付け印刷及び日付け印刷表示形態を指定する日付けボタン１７ｆ、メモリカードの切換えを行なうカード切換ボタン１７ｇ、印刷コマ番指定モードと印刷枚数（コピー枚数）指定モードとを切り換えるコマ番／印刷枚数切換ボタン１７ｈ、コマ番又は印刷枚数の数を増減する（＋）ボタン及び（−）ボタン１７ｉ、などがある。
【００２６】
また、表示ランプ１８ａ〜１８ｄには、プリント中であることを点灯表示するプリント中ランプ１８ａ、インクリボン終了，給紙カセット無し，及び記録紙無しなどを点灯表示するリボン／ペーパーランプ１８ｂ、リボンカセット蓋開き，通信エラーなどを点灯表示するエラーランプ１８ｃ、メモリカード５２からのデータ読み込み（アクセス）中や，充電電池（図示せず）及びＡＣアダプタ５３が接続した状態で電源ボタン１７ａによる電源オフを行なったときに充電が開始実行されていることを点灯表示するアクセス／充電ランプ１８ｄ、などがある。
【００２７】
用紙保持部としての給紙カセット３０は、上面部が開口していて、記録用紙を収容可能なカセットケース３１と、該ケース３１の上面部を前端部分（記録紙取出し口）を残して閉塞可能な蓋体３２とで構成されており、カセットケース３１の挿入側前端部分の両側壁にはプリンタ装置本体１０内に配設されている図示しない給紙ローラ（記録紙の先端部分に接触してその回転及び摩擦力にてプリンタ装置本体内に導き入れるためのローラ）の支軸の一部が嵌合可能な嵌合部３１ａ，３１ａが形成され、カセットケース３１の挿入側前端部３１ｂは記録紙が前記給紙ローラにてカセットケース３１内から取り出され易いように図示上部がケース内部側よりアール（丸み）をもって形成されている。
【００２８】
さらに、プリンタ装置の後方側には、前述のＳＭやＣＦなど複数のメモリカード５２を着脱可能に収納する記録メディア収納部が設けられている。記録メディア収納部は、プリンタ装置本体１０の後端部１５にあるバッテリィ装着部と前述の操作ボタン部１７ａ〜１７ｉ及び液晶表示器１６との間の位置に、ＳＭ及びＣＦを上下方向に挿脱し得る構造で設けられている。該記録メディア収納部の上面には、スマートメディア（ＳＭ）用挿入口６１と、コンパクトフラッシュ（ＣＦ）用挿入口６２が設けられている。また、コンパクトフラッシュ（ＣＦ）用挿入口６２の横には挿着されたコンパクトフラッシュ（ＣＦ）を挿入口６２から取り出すためのイジェクトボタン６３が突没可能に設けてある。なお、スマートメディア（ＳＭ）に関しては、挿入口６１に挿着されたスマートメディア（ＳＭ）を取り出すにはスマートメディア（ＳＭ）の後端部（図示上端部）を指で摘んで引き出せばよいのでイジェクト手段は特に必要としない。また、挿入口６１，６２の周辺には各メディアＳＭ，ＣＦの取り出しを容易にするために各挿入口６１，６２周辺の両側から挿入口に向かって下降するように傾斜した斜面部６８，６９が形成されている。
【００２９】
さらに、これらの挿入口６１，６２に記録メディアＳＭ，ＣＦを挿着しないときなどに挿入口６１，６２へのダスト侵入を防ぐためにダストカバー６４を開閉可能に配設している。このカバー６４は、プリンタ装置本体１０の後方側の左右両端部分に設けた２つの突部６５，６５の各内方側係合孔（図示せず）に対して、カバー６４の一端部側に設けた２つの係合突起６４ａ，６４ａを係合させることにより、挿入口６１，６２を閉塞し得るようになっている。カバー６４の開閉側端部には係合爪６４ｂが突設され、該係合爪６４ｂはカバー６４を閉塞したときに本体１０側に設けた係合孔６６に係入するようになっている。また、カバー６４を閉じた状態から、カバー６４を開くときにカバー開閉側端部に指を掛けて開き易くするために本体１０側には凹形状の切欠き部（指先の挿入部）６７が設けてある。
【００３０】
なお、図４に示すプリンタ装置では、複数のメモリカード５２として２種類の記録メディア即ちスマートメディア（ＳＭ）とコンパクトフラッシュ（ＣＦ）を挿着可能とする構造を示しているが、このほかの記録メディア例えばソニー（株）製のメモリスティック（商品名、以下ＭＳと略記）を搭載することも可能である。
【００３１】
図５は、上記液晶表示器１６に表示可能な全ての表示文字及び表示マークを示している。
【００３２】
印刷モード指定は印刷モードボタン１７ｃで切り換えられ、このボタン１７ｃを押すことによって標準プリントモードから図５の表示面の左下隅のインデックスプリントモードのマークが表示され、もう一度ボタン１７ｃを押すとインデックスプリントモードマークからその右隣の‘ ALL’マーク付きの全コマプリントモードのマークが表示され、更にもう一度ボタン１７ｃを押すとＤＰＯＦ（Digital Print Order Format）モードのマークが表示される。
【００３３】
標準プリントモードは、コマ番（FRAME）で示されている指定コマを印刷するモードであり、そのマークは図５の表示面の左下隅のインデックスプリントマーク内の６個の黒色で塗り潰した正方形セグメントを不点灯制御することにより生成される（図３（ａ）の左下隅のマークが標準プリントモードマークである）。インデックスプリントモードは、指定コマから遡って最大３０コマずつを１枚に印刷するモードである。全コマプリントモードは、指定コマから遡った残りのコマ分だけを印刷するモードである。ＤＰＯＦモードは、デジタルカメラで撮影した画像の中から、プリントをしたい画像や枚数などの指定情報をメモリカードなどの記録媒体に記録するためのフォーマットであり、ユーザはデジタルカメラの画面を見ながら、撮影した画像の中からプリントしたい画像や枚数を直接指定することができるので、プリントサービスを依頼する場合にも、記録媒体を持参すればよく、注文用紙にプリントしたい画像のファイル名やコマ番号などを記入することは不要になり、ユーザの手間を減らすことができるものである。
【００３４】
また、シャープネスモード指定はシャープネスボタン１７ｄで、分割モード指定は分割ボタン１７ｅで、日付け指定及び日付け印刷表示形態切換え指定は日付けボタン１７ｆで、メモリカード指定はカード切換ボタン１７ｇで、コマ番／印刷枚数指定はコマ番／印刷枚数切換ボタン１７ｈで、コマ番又は印刷枚数の表示切換えは（＋）ボタン及び（−）ボタン１７ｉで、それぞれ必要に応じて切り換えることができる。
【００３５】
以上のようなプリンタ装置では、印刷するデータをプリンタ装置内の画像データ用バッファメモリに読み込むのに２通りの場合がある。第１に、複数のメモリカード５２のうちのいずれかの記録メディア（スマートメディアＳＭ又はコンパクトフラッシュＣＦ）からのデータを読み込む場合であり、第２に、図示しないパソコンのコネクタ５１をプリンタ装置本体１０内のインターフェース（図示せず）と接続し、パソコンからのデータを読み込む場合である。
【００３６】
本プリンタ装置では、記録メディア又はパソコンから送られてくる印刷対象のデータを一旦プリンタ装置内のバッファメモリに蓄積し、一括してプリントアウトを行なう。従って、例えばパソコンからのデータを読み込んで印刷する場合、少なくとも、パソコンから印刷対象のデータが送られている間、及びそのデータをプリントアウトしている間は、プリンタ装置側での各種指示に基づく命令、及びパソコン側からプリンタ装置側への各種操作に基づく命令を実行できなくする（受け付けないようにする）ことが好ましい。これは印刷動作が途中で中断若しくは中止されてしまうのを防ぐために必要である。
【００３７】
また、プリンタ装置では、その電源ボタン１７ａをオンにすると、プリント情報を表示する液晶表示器１６には、通常、初期状態の表示として、例えばシャープネス標準を示す“NORMAL”，標準プリントマーク，印刷コマ番の初期値を示すFRAME‘０００’，及びバッテリィ残量マークが表示される。そして、この表示状態でパソコンからの制御に基づいてパソコンからプリンタ装置へデータが送られてきた場合、液晶表示器１６が上記の初期状態の表示のままで且つプリンタ装置のボタン操作が利かない状態にあったとすると、ユーザにとってはプリンタ装置が現在どういう動作状態にあるかが分からず誠に使い勝手が悪く不便である。最悪の場合、故障と勘違いしてしまう恐れがある。
【００３８】
そこで、プリンタ装置がパソコンから制御されている状態即ちパソコンとの通信中、及びパソコンからのデータをプリント動作中は、プリンタ装置及びパソコンからの各種操作に基づく命令を受け付けないようにすると共に、プリンタ装置の液晶表示器１６にはプリント動作中であることを示す例えば「ＰＣ」という文字（及びバッテリィ残量マーク）を表示するようにする。これを実現する実施の形態を次に説明する。
【００３９】
図１は本発明の一実施の形態のプリンタ装置の要部を示すブロック図である。
【００４０】
図１に示すプリンタ装置８０は、パソコン７０を接続した場合に、プリンタ装置８０がパソコン７０側から制御されている状態（即ちプリンタ装置８０とパソコン７０とがデータ通信中）であったり、パソコン７０から読み込んだデータをプリント中の状態で、「ＰＣ」表示並びにバッテリィ残量表示を出すと共にその表示期間の指示命令を受け付けないようにするための要部構成を示している。
【００４１】
プリンタ装置８０は、パソコン７０と接続し、パソコン７０との電子データの授受を行なう通信手段としてのパラレルポートインターフェース８１と、パソコン７０からの制御データの解読や操作ボタン１７ａ〜１７ｉからの操作信号の解読，パソコン７０からの印刷対象データの画像メモリ８３への記憶，液晶表示器１６への表示，印画ヘッド８８の印画，及びバッテリィ９０の残量算出などを制御する制御手段としてのＣＰＵ８２と、ＣＰＵ８２の制御の下で図示しないメモリカード５２（図４参照）からのデータやパソコン７０からのデータを読み込んで記憶する記憶手段としてのメモリ８３と、ＣＰＵ８２の制御の下で表示手段としての液晶表示器１６に液晶表示信号及び液晶制御信号を供給する液晶コントローラ８５と、指示手段としての操作ボタン１７ａ〜１７ｉからの指示信号をＣＰＵ８２に伝えるキーインターフェース８７と、ＣＰＵ８２の制御の下でサーマルヘッドなどの印画ヘッド８８に印画用信号及び印画制御信号を供給するプリントコントローラ８９と、ＣＰＵ８２に対して電力供給するともにバッテリィ９０の残量情報を伝えるバッテリィコントローラ９１とを少なくとも有して構成されている。
【００４２】
なお、液晶表示器１６については、図５に示したような文字・数字やマークを少なくとも１つの表示セグメントを用いて表示するセグメント表示法が用いられる。従って、液晶コントローラ８５はＣＰＵ８２からの指示に基づきセグメント駆動信号を生成して液晶表示器１６の各セグメントを駆動することになる。
【００４３】
また、プリンタ装置８０とパソコン７０とを接続するインターフェースとしては、パソコン７０のプリンタ用パラレル出力ポートと接続する図１のパラレルポートインターフェース８１のほかに、パソコン７０にＵＳＢ用シリアル出力ポートが搭載されていればこのシリアル出力ポートに接続するシリアルポートインターフェースをプリンタ装置８０内に設けて接続する構成も可能である。
【００４４】
次に、図１のプリンタ装置８０の動作を説明する。
プリンタ装置８０はプリントに関する一連の基本的動作は、ＣＰＵ８２のメインルーチンに基づいて制御されるようになっている。そのようなメインルーチン上における動作状態で、プリンタ装置８０にパソコン７０から制御データ又は印刷用データが到来すると、該データはパラレルポートインターフェース８１で受信され、ＣＰＵ８２の制御の下で制御データは解読され又は印刷用データはメモリ８３に一旦読み込まれる。同時に、ＣＰＵ８２は、パソコン７０からのデータ到来によって、図２に示すようなサブルーチンに移行する。
【００４５】
図２のサブルーチンはプリンタ装置とパソコン（図中、ＰＣと記す）との通信処理に関するフローを示している。
【００４６】
ステップＳ1 ではパソコン７０とのデータ通信が行なわれているか否かを判断している。パソコンデータが来ると、プリンタ装置内のＣＰＵ８２はこれを検知してステップＳ2 に進む。ステップＳ2 では、ＣＰＵ８２は液晶コントローラ８５を介して液晶表示器１６に「ＰＣ」という文字を表示させる一方バッテリィコントローラ９１から得られるバッテリィ９０の残量情報を液晶表示器１６に表示させる。そして、パソコン７０からの印刷用データもメモリ８３に読み込んで該データをプリントコントローラ８９に送り、プリント動作に入る。プリント動作期間中は、液晶表示器１６には「ＰＣ」表示とバッテリィ残量表示がなされる。なお、「ＰＣ」（及びバッテリィ残量）の表示期間中は、ＣＰＵ８２は、指示手段である操作ボタン１７ａ〜１７ｉからの指示命令があってもこれを受け付けないと共にパソコン７０からの指示命令をも受け付けないように制御を行なう。
【００４７】
そして、ステップＳ2 における「ＰＣ」の表示開始後、ステップＳ3 においてパソコン７０との通信中か或いはプリント中かを判断し、パソコンとの通信中或いはプリント中であれば、ステップＳ2 での液晶表示動作を継続する。ステップＳ3 で、パソコンとの通信動作或いはプリント動作の終了が検出されれば、ステップＳ4 に進んで液晶表示器１６の表示をパソコン７０との通信開始前の表示状態に戻し、メインルーチンにリターンする。
【００４８】
図３(b) は、図２のステップＳ2 の表示期間中における液晶表示を示している。即ち、パソコン７０とのデータ通信中及びプリント中は、７セグメント表示法を用いてプリント動作中であることを「ＰＣ」という文字で表示すると共に、バッテリィ残量表示がなされている。図３(a) はパソコンとのデータ通信前及びプリント終了後に表示される通常表示を示している。通常表示では、「ＰＣ」の字形が表示されていた位置に本来の７セグメント表示法による「０００」の数字表示がなされる。また、通常表示では、図３(a) の表示面の左下隅には標準プリントモードマークが表示されている。このマークは前述したように図５の表示面の左下隅に示したインデックスマーク内の６個の正方形セグメント（黒色で塗り潰したもの）を不点灯制御することにより生成されるものである。
【００４９】
尚、以上述べた動作は、パソコン７０内のハードディスクなどに保持してある画像などのデータをプリンタ装置内のバッファメモリ８３に読み込んでプリントアウトする際の制御データ及び印刷用データの取り込みを行なう場合について説明しているが、本発明はこれに限定されず、パソコン７０側からメモリカード５２のいずれかの記録メディア（ＳＭ又はＣＦ）に記録したデータをパソコン７０側から印刷コントロール可能とし、該記録メディアのデータをパソコン７０からの制御により一旦パソコン７０内のバッファメモリ等に読み込んだ後パソコン７０から読み出してプリントアウトする場合にも適用することができる。即ち、記録メディア内のデータをパソコン内のバッファメモリ等に読み込みプリントアウトすべく、パソコン側から記録メディア内のデータを指定した時からプリントアウトが終了するまでの期間、「ＰＣ」表示及びバッテリィ残量表示を行なわせることも本発明の範囲である。
【００５０】
【発明の効果】
以上述べたように本発明によれば、パソコンとのデータ通信中及びプリント中はプリント動作中であることを表示すると共にプリンタ装置の指示手段からの命令及びパソコンからの指示命令を受け付けないようにしたので、プリンタ装置とパソコンとが通信中である際には、他の指示命令によって該通信が途中で途切れてしまうことがなく、また印刷中に、誤って印刷そのもののシーケンスを終了させてしまうことを防ぐことができる。
【図面の簡単な説明】
【図１】本発明の一実施の形態のプリンタ装置の要部を示すブロック図。
【図２】プリンタ装置とパソコンとの通信処理に関するフローチャート。
【図３】パソコンとのデータ通信中及びプリント中の液晶表示を示す図。
【図４】プリンタ装置の外観を示す斜視図。
【図５】図４における液晶表示器に表示可能な全ての表示文字及び表示マークを示す図。
【符号の説明】
１６…表示器（表示手段）
１７ａ〜１７ｉ…操作ボタン（指示手段）
７０…パソコン
８０…プリンタ装置
８１…パラレルポートインターフェース（通信手段）
８２…ＣＰＵ（制御手段）
８３…メモリ（記憶手段）
８８…印画ヘッド
９０…バッテリィ
【図１】
0004436550.tif 000002
【図２】
0004436550.tif 000003
【図３】
0004436550.tif 000004
【図４】
0004436550.tif 000005
【図５】
0004436550.tif 000006